(57)【要約】
【課題】けん玉の普及を図り、その普及の流れの先で多くの人に公式競技への参加をいざなうことができるようにしたけん玉を提供する。
【解決手段】大皿７、中皿１０、小皿８、及びけん先９が設けられたけん２とこのけん２に糸４を介して連結された玉３とを有するけん玉１であって、中皿１０の皿部内径が公式競技用規格のけん玉１００に設けられた大皿１０７の皿部内径と同じに形成され、小皿８の皿部内径が公式競技用規格のけん玉１００に設けられた中皿１１０の皿部内径と同じに形成されている。
【選択図】図１
0003100317.tif 000002
【実用新案登録請求の範囲】
【請求項１】
　大皿（７）、中皿（１０）、小皿（８）、及びけん先（９）が十文字配置で設けられたけん（２）とこのけん（２）に糸（４）を介して連結された玉（３）とを有するけん玉において、大皿（７）、中皿（１０）、小皿（８）の各皿部内径が公式競技用規格に基づいて形成されたけん玉（１００）の大皿（１０７）、中皿（１１０）、小皿（１０８）の各皿部内径に対してそれぞれ７〜１２％ずつ大きく形成されていることを特徴とするけん玉。
【請求項２】
　大皿（７）、中皿（１０）、小皿（８）、及びけん先（９）が十文字配置で設けられたけん（２）とこのけん（２）に糸（４）を介して連結された玉（３）とを有するけん玉において、中皿（１０）の皿部内径が公式競技用規格に基づいて形成されたけん玉（１００）のけん（１０１）に設けられた大皿（１０７）の皿部内径と同じに形成され、小皿（８）の皿部内径が公式競技用規格に基づいて形成されたけん玉（１００）のけん（１０１）に設けられた中皿（１１０）の皿部内径と同じに形成されていることを特徴とするけん玉。
【請求項３】
　大皿（７）、中皿（１０）、小皿（８）、及びけん先（９）が十文字配置で設けられたけん（２）とこのけん（２）に糸（４）を介して連結された玉（３）とを有するけん玉において、大皿（７）、中皿（１０）、小皿（８）の皿部外周部に、それぞれの皿部外周部を取り巻く角線が生じない程度に外膨れとなる緩和曲面として形成されていることを特徴とするけん玉。
【請求項４】
　前記けん（２）の長手方向中途部には、このけん（２）のまわりを一周するすべり止め（１１）が突設されており、このすべり止め（１１）は、大皿（７）及び小皿（８）に面する側がけん（２）の外周面に対して鋭角に切り立った平坦な環状面（１１ａ）として形成され、これとは逆向きで中皿（１０）に面する側が外膨れのアール面（１１ｂ）として形成されていることを特徴とする請求項３記載のけん玉。
【考案の詳細な説明】
【技術分野】
【０００１】
本考案は、けん玉に関するものである。
【背景技術】
【０００２】
図４に示すように、けん玉１００は、けん１０１と玉１０２とを有し、これらが所定長さの糸１０３によって連結されて成る。けん１０１は、円錐棒形を呈する剣本体１０５と、鼓形を呈してその中央部を剣本体１０５で串刺し状に貫通保持された皿胴１０６とを有している。この皿胴１０６には、一方面側に大皿１０７が設けられ他方面側に小皿１０８が設けられている。これに対して剣本体１０５には、先端側にけん先１０９が設けられ、尾端側に中皿１１０が設けられている。すなわち、これら大皿１０７、中皿１１０、小皿１０８、けん先１０９が互いに十文字配置となっている。またこの剣本体１０５の長手方向中途部には、そのまわりを一周しつつ突出するすべり止め１１１が設けられている（例えば、特許文献１等参照）。
【０００３】
　この種のけん玉１００は、遊具として使用する分にはその大きさ、形状、色など、なんの制約もないが、公式競技で使用するものでは、剣本体１０１の太さや長さ、玉１０２の外径や糸１０３の長さはもとより、大皿１０７、中皿１１０、小皿１０８におけるそれぞれの皿部内径、更には全体の配色までもが細かく規定されている。
　外形的なことで一例を挙げると、公式競技用規格に基づいて形成されたけん玉１００において、大皿１０７、中皿１１０、小皿１０８の各皿部外周部は皿部開口に近づくほど径小になるテーパ形となっており、このテーパ外周面は断面輪郭が直線となるように形成されている。殊に大皿１０７や小皿１０８のテーパ外周面は、それぞれの皿部外周部を取り巻く角線（稜線）１０７ａ，１０８ａを形成させた後、急激に向きを変えて、皿胴１０６が鼓形を呈するようにするための内反りアール面１０６ａに繋がったものとなっている。なお、中皿１１０にも角線１１０ａは存在している。
【０００４】
　また剣本体１０５に設けられたすべり止め１１１についても、大皿１０７及び小皿１０８に面する側（図４においてすべり止め１１１の上側）、及び中皿１１０に面する側（図４においてすべり止め１１１の下側）の双方とも、内反り方向のアール面１１１ａ，１１１ｂとして形成されている。
【特許文献１】特開２００２−３４６０１１号公報
【考案の開示】
【考案が解決しようとする課題】
【０００５】
　けん玉の普及を図り、その普及の流れの先で多くの人に公式競技への参加をいざなうためには、各個人による絶え間ない練習が必要であるが、それ以前の問題として、まずはけん玉未経験者や初心者にけん玉の魅力を訴える必要がある。ところが、周知の通りけん玉未経験者や初心者にとっては、難易度が最も低いとされる大皿１０７へ玉１０２を載せるだけでも、なかなか簡単にはいかない。そのため、すぐに飽きられ、公式競技へ参加するまでに上達することが少ないということがあった。
　また、大皿１０７や小皿１０８の皿部外周部には、断面輪郭が直線となるテーパ外周面やそれを取り巻く角線１０７ａ，１０８ａ，１１１ａが設けられているため、外見的に精悍なイメージがあって人によっては親しみにくく、また殊に低年齢の子供や高齢者にとって、これら角線１０７ａ，１０８ａ，１１１ａへ指先を押し付けたまま熱中して練習したときに指先が痛くなるといったこともあった。これらのことが、益々、けん玉の普及にとって好材料とはなっていなかったと言うこともできる。
【０００６】
　なお、玩具、民芸品、おみやげ品などとして製作されたけん玉では、剣本体１０５の太さや長さ、玉１０２の外径、糸１０３の長さ、大皿１０７、中皿１１０、小皿１０８の各皿部内径などがバラバラであり、甚だしい場合には、それらの色付けや形、材質までもがまちまちであったため、このようなものをいくら練習しても、けん玉の公式競技への参加へ結びつきにくく、却って正当ではない悪癖をつけてしまということがあった。
　本考案は、上記事情に鑑みてなされたものであって、けん玉の普及を図り、その普及の流れの先で多くの人に公式競技への参加をいざなうことができるようにしたけん玉を提供することを目的とする。
【課題を解決するための手段】
【０００７】
前記目的を達成するために、本考案は次の手段を講じた。
　即ち、本考案に係るけん玉１は、大皿７、中皿１０、小皿８、及びけん先９が十文字配置で設けられたけん２と、このけん２に糸４を介して連結された玉３とを有しており、大皿７、中皿１０、小皿８の各皿部内径が、公式競技用規格に基づいて形成されたけん玉１００（図４参照）の大皿１０７、中皿１１０、小皿１０８の各皿部内径に対してそれぞれ７〜１２％ずつ大きく形成されている。
　このようにすることで各皿に対して玉３を載せやすくなる。すなわち、公式競技用規格けん玉１００の大皿１０７へ玉１０２を載せるよりも、本考案に係るけん玉１の大皿７へ玉３を載せる方が容易であり、公式競技用規格けん玉１００の中皿１１０へ玉１０２を載せるよりも、本考案に係るけん玉１の中皿１０へ玉３を載せる方が容易であり、公式競技用規格けん玉１００の小皿１０８へ玉１０２を載せるよりも、本考案に係るけん玉１の小皿８へ玉３を載せる方が容易である、ということである。
【０００８】
　そのため、けん玉未経験者や初心者は、いきなり公式競技用規格けん玉１００を使って練習するよりも、その前ステップとして本考案に係るけん玉１を使って練習する方が、面白みが沸き、練習の励みになる。そして本考案に係るけん玉１を使って練習した後、公式競技用規格けん玉１００へ練習を移行させるようにすることで、技の上達を早めることが期待できる。
　なお、７％を超えない程度の大型化では、玉３を載せやすくなるというところまでいかず、逆に１２％を超える大型化では、あまりにも簡単に玉３を載せることができるために、やはり練習効果が低くなる。
【０００９】
　この場合、具体的にどの程度、各皿部を大きくするかの一例として、次のようにすることが推奨される。すなわち、中皿１０の皿部内径については、公式競技用規格けん玉１００のけん１０１に設けられた大皿１０７の皿部内径と同じに形成するのが好適である。また小皿８の皿部内径については、公式競技用規格けん玉１００のけん１０１に設けられた中皿１１０の皿部内径と同じに形成するのが好適である。
　このようにすると、本考案に係るけん玉１において小皿８だと思って練習していたことが公式競技用規格けん玉１００の中皿１１０に該当するわけであるし、また本考案に係るけん玉１において中皿１０だと思って練習していたことが公式競技用規格けん玉１００の大皿１０７に該当するわけであるから、練習が無駄にならず、公式競技用規格けん玉１００への練習の移行がスムーズに行えることになる。
【００１０】
　大皿７、中皿１０、小皿８の皿部外周部は、それぞれの皿部外周部を取り巻く角線が生じない程度に、外膨れとなる緩和曲面として形成しておくのが好適である。
　このようにすることで外観性がソフトになり、多くの人にとって親しみやすくなる。また実質的に手触りが良好となり、練習中に指先が痛くなるといったことも防止される。
　なお、けん５の長手方向中途部には、このけん５のまわりを一周するすべり止め１１が突設されるが、このすべり止め１１に関しては、大皿７及び小皿８に面する側がけん５の外周面に対して鋭角に切り立った平坦な環状面１１ａとして形成され、これとは逆向きで中皿１０に面する側が外膨れのアール面１１ｂとして形成されているものとするのが好適である。
【００１１】
　このようにすることで、大皿７及び小皿８に面する側（即ち、皿胴６側）寄りを持って技を繰り出したときに絶大なすべり止め効果を得ることができる。このことも、上達を早め、公式競技用規格けん玉１００への練習の移行をスムーズにさせるうえで有効となる。
【考案の効果】
【００１２】
　本考案に係るけん玉では、それ自体の普及はさることながら、それと共に公式競技用規格のけん玉への移行（即ち、この公式競技用規格のけん玉としての普及）をも図ることができ、従ってこれらの普及の流れの先で多くの人に公式競技への参加をいざなうことができるようになる。
【考案を実施するための最良の形態】
【００１３】
　以下、本考案の実施の形態を、図面に基づき説明する。
　図１乃至図３は、本考案に係るけん玉１の一実施形態を示している。このけん玉１は、けん２と玉３とを有し、これらが所定長さの糸４によって連結されて成る。けん２は、円錐棒形を呈する剣本体５と、鼓形を呈してその中央部を剣本体５で串刺し状に貫通保持された皿胴６とを有している。この皿胴６には、一方面側に大皿７が設けられ他方面側に小皿８が設けられている。これに対して剣本体５には、先端側にけん先９が設けられ、尾端側に中皿１０が設けられている。すなわち、これら大皿７、中皿１０、小皿８、けん先９が十文字配置になっている。またこの剣本体５の長手方向中途部には、そのまわりを一周しつつ突出するすべり止め１１が設けられている。
【００１４】
　小皿８の皿部内径は、公式競技用規格に基づいて形成されたけん玉１００（以下、単に「規格けん玉１００」と言う。なお図４参照）における小皿１０８の皿部内径に対して７〜１２％大きく形成されている。具体的には、規格けん玉１００における小皿１０８の皿部内径が３４ｍｍであるとした場合、小皿８の皿部内径は約９％増しの３７ｍｍに設定されている。従って、規格けん玉１００の小皿１０８へ玉１０２を載せるよりも、小皿８へ玉３を載せる方が容易である。
　この小皿８の皿部内径（３７ｍｍ）は、規格けん玉１００のけん１０１に設けられた中皿１１０の皿部内径と同じである。そのため、このけん玉１において小皿８だと思って練習していたことが、将来、規格けん玉１００へ練習を移行させた場合にはその中皿１１０へ玉１０２を載せる練習として役立つ。
【００１５】
　この小皿８の皿部外周部は外膨れの緩和曲面として形成されており、この緩和曲面は、そのまま皿胴６が鼓形を呈するようにするための内反りアール面６ａに滑らかに繋がったものとなっている。そのため、この小皿８の皿部外周部を取り巻くような角線（図４の角線１０８ａに相当するもの）は生じていない。そのため外観性がソフトで親しみやすく、また手触りが良好で、練習中の圧痛を防止できる。
　中皿１０の皿部内径は、規格けん玉１００における中皿１１０の皿部内径に対して７〜１２％大きく形成されている。具体的には、規格けん玉１００における中皿１１０の皿部内径が３７ｍｍであるとした場合、中皿１０の皿部内径は約１０％増しの４１ｍｍに設定されている。従って、規格けん玉１００の中皿１１０へ玉１０２を載せるよりも、中皿１０へ玉３を載せる方が容易である。
【００１６】
　この中皿１０の皿部内径（４１ｍｍ）については、規格けん玉１００のけん１０１に設けられた大皿１０７の皿部内径と同じである。そのため、このけん玉１において中皿１０だと思って練習していたことが、将来、規格けん玉１００へ練習を移行させた場合にはその大皿１０７へ玉１０２を載せる練習として役立つ。
　この中皿１０の皿部外周部は外膨れの緩和曲面として形成されている。そしてこの緩和曲面は、内反りのアール面５ａを経て剣本体５の外周面に滑らかに繋がったものとなっている。そのため、この中皿１０の皿部外周部を取り巻くような角線（図４の角線１１０ａに相当するもの）は生じていない。そのため外観性がソフトで親しみやすく、また手触りが良好で、練習中の圧痛を防止できる。
【００１７】
　大皿７の皿部内径は、規格けん玉１００における大皿１０７の皿部内径に対して７〜１２％大きく形成されている。具体的には、規格けん玉１００における大皿１０７の皿部内径が４１ｍｍであるとした場合、大皿７の皿部内径は約７％増しの４４ｍｍに設定されている。従って、規格けん玉１００の大皿１０７へ玉１０２を載せるよりも、大皿７へ玉３を載せる方が容易である。
　この大皿７の皿部外周部は外膨れの緩和曲面として形成されており、この緩和曲面は、そのまま皿胴６が鼓形を呈するようにするための内反りアール面６ａに滑らかに繋がったものとなっている。そのため、この大皿７の皿部外周部を取り巻くような角線（図４の角線１０７ａに相当するもの）は生じていない。そのため外観性がソフトで親しみやすく、また手触りが良好で、練習中の圧痛を防止できる。
【００１８】
　なお、けん５の長手方向中途部にけん５のまわりを一周しつつ突出して設けられるすべり止め１１に関しては、大皿７及び小皿８に面する側（皿胴６側）がけん５の外周面に対して鋭角に切り立った平坦な環状面１１ａとして形成され、これとは逆向きで中皿１０に面する側が外膨れのアール面１１ｂとして形成されている。
　このような構成を具備したけん玉１では、規格けん玉１００を使って練習するよりも大皿７、中皿１０、小皿８の各皿へ玉３を載せやすくなっているので、面白みが沸き、練習の励みになる。またある程度、技が繰り出せるようになった後、規格けん玉１００への練習の移行もスムーズとなり、上達を早めることが期待できる。
【００１９】
　図２は「とめけん」「ふりけん」「日本一周」「世界一周」などの技を繰り出すときの持ち方を示し、図３は上記以外の技を繰り出すときの持ち方を示している。これらの図から明らかなように、大皿７、中皿１０、小皿８の各皿部外周部が外膨れの緩和曲面として形成されているから、これら各部への指の感触がソフトで圧痛には繋がりにくい。また大皿７及び小皿８に面する側（即ち、皿胴６側）寄りを持って技を繰り出したときに、すべり止め１１の平坦な環状面１１ａが手の滑りを確実に止めてくれるようになるため、技の習得乃至上達にとって極めて有益となる。
【００２０】
　ところで、本考案は、上記実施形態に限定されるものではなく、実施の形態に応じて適宜変更可能である。
【図面の簡単な説明】
【００２１】
【図１】本考案に係るけん玉の一実施形態を示した正面図である。
【図２】図１のけん玉の使用例（持ち方）を示した斜視図である。
【図３】図２とは別の使用例（持ち方）を示した斜視図である。
【図４】公式競技用規格のけん玉を示した正面図である。
【符号の説明】
【００２２】
　１　けん玉
　２　けん
　３　玉
　４　糸
　７　大皿
　８　小皿
　１０　中皿
　１１　すべり止め
　１１ａ　平坦な環状面
　１１ｂ　外膨れのアール面
　１００　公式競技用規格のけん玉
　１０７　公式競技用規格けん玉の大皿
　１１０　公式競技用規格けん玉の中皿
　１０８　公式競技用規格けん玉の小皿
　１０２　公式競技用規格けん玉の玉
　１０５　公式競技用規格けん玉のけん
【図１】
0003100317.tif 000003
【図２】
0003100317.tif 000004
【図３】
0003100317.tif 000005
【図４】
0003100317.tif 000006